(57)【特許請求の範囲】
【請求項１】
伝送路より抽出したクロックに同期して動作し、受信信号からシンクロナイゼーション・ステイタス・メッセージを分離し、抽出したシンクロナイゼーション・ステイタス・メッセージをもとに該伝送装置のクロック源を選択する伝送装置のクロック切り替え方法であって、
電源投入もしくは電源断時、受信した信号から光入力断を検出した時、アウトオブフレームもしくはロスオブフレームを検出した時に受信した信号から抽出したシンクロナイゼーション・ステイタス・メッセージを”００００”に変換し、変換後の値をもとに該伝送装置のクロック源を選択することを特徴とするクロック切り替え方法。
【請求項２】
伝送路より抽出したクロックに同期して動作し、受信信号からシンクロナイゼーション・ステイタス・メッセージを分離し、抽出したシンクロナイゼーション・ステイタス・メッセージをもとに該伝送装置のクロック源を選択する伝送装置であって、
伝送路よりクロックを抽出する回路と、シンクロナイゼーション・ステイタス・メッセージを抽出する回路と、複数のクロック源から該装置のクロック源を選択するクロック選択回路と、前記抽出したシンクロナイゼーション・ステイタス・メッセージの優先順位を判断して上記クロック選択回路を制御する制御回路と、電源投入もしくは電源断時、パワーオン信号を出力する回路、光入力断を検出したとき光入力断検出信号を出力する回路、アウトオブフレームもしくはロスオブフレームを検出した時アウトオブフレームもしくはロスオブフレーム検出信号を出力する回路を有し、前記パワーオンリセット信号、光入力断検出信号、アウトオブフレームもしくはロスオブフレーム検出信号を発信した場合、前記クロック選択回路に対してクロックの送信を止める回路を有することを特徴とする伝送装置。
【請求項３】
伝送路より抽出したクロックに同期して動作し、受信信号からシンクロナイゼーション・ステイタス・メッセージを分離し、抽出したシンクロナイゼーション・ステイタス・メッセージをもとに該伝送装置のクロック源を選択する伝送装置であって、
伝送路よりクロックを抽出する回路と、シンクロナイゼーション・ステイタス・メッセージを抽出する回路と、複数のクロック源から該装置のクロック源を選択するクロック選択回路と、前記抽出したシンクロナイゼーション・ステイタス・メッセージの優先順位を判断して上記クロック選択回路を制御する制御回路と、電源投入もしくは電源断時、パワーオン信号を出力する回路、光入力断を検出したとき光入力断検出信号を出力する回路、アウトオブフレームもしくはロスオブフレームを検出した時アウトオブフレームもしくはロスオブフレーム検出信号を出力する回路を有し、前記パワーオンリセット信号、光入力断検出信号、アウトオブフレームもしくはロスオブフレーム検出信号を発信した場合、シンクロナイゼーション・ステイタス・メッセージを”００００”に変換して前記制御回路に送信する回路を有することを特徴とする伝送装置。
【請求項４】
受信信号からシンクロナイゼーション・ステイタス・メッセージを分離し、抽出したシンクロナイゼーション・ステイタス・メッセージをもとに該伝送装置のクロック源を選択し、外部の端末の設定によって伝送路より抽出したクロックの選択を強制変更機能をもつ伝送装置のクロック切り替え方法であって、
シンクロナイゼーション・ステイタス・メッセージ抽出機能をもつインターフェース盤を挿抜する前に、前記端末から挿抜するインターフェース盤を指定し、該インターフェース盤からクロックを選択しないよう設定する命令を入力した後、該インターフェース盤を挿入あるいは抜去することを特徴とするクロック切り替え方法。
【発明の詳細な説明】
【０００１】
【発明の属する技術分野】
本発明は同期ディジタル伝送網における伝送装置およびクロック誤切り替え防止方法に関する。特に、伝送路より抽出したクロックに同期して動作することが可能でＳＳＭ処理をもつ伝送装置およびそのクロック誤切り替え防止方法に関する。
【０００２】
【従来の技術】
図１に従来の同期ディジタル伝送網の１例のブロック図を示す。図１の網全体はＢＩＴＳ（Building Integrated Timing Supply）１００から送信される基準クロック１０５に同期して動作する。図１でノード１１５、ノード１３５は、基準クロック１０５に同期して動作するノード１１０より出力されたデータを受信し、そのデータより抽出したクロックを用いてノード１２０、ノード１３０にデータを転送する。さらにノード１３０はその受信したデータから抽出したクロックをもとにノード１２５へデータを転送する。このように各ノードを構成する装置は、ノード１１０のようにＢＩＴＳ等から分配されるクロックを基準とする場合と、ノード１１５、１２０、１２５、１３０、１３５のように伝送路からクロックを抽出してそのクロックに同期して動作させる場合がある。
【０００３】
シンクロナイゼーション・ステータス・メッセージ（以下ＳＳＭと略す：Synchronization Status Messages）は信号の出力に使用されたクロックの品質を表すために規定されている。ＳＤＨ（Synchronous Digital Hierarchy）ではＳＴＭ−Ｎ（Synchronous Transport Module Level−N: N は自然数）信号中のＳ１バイトを用いて伝送することが定められている。例として表１にＳＴＭ−１のＳＯＨ（Section Overhead）のフレームフォーマットを示す。
【０００４】
【表１】
0003542267.tif 000002
【０００５】
表１のＳＯＨのうち第９行第１列がＳ１バイトである。ＳＳＭは抽出したクロックの品質を何段階かのレベルに分けて品質の良いものから優先順位をつけている。各ノードがＳＳＭの優先順位の高いライン抽出クロックを選択して使用することにより、伝送網の品質を高めることができる。このＳＳＭとしてＩＴＵ−ＴＧ．７０７の定義を表２に、Ｂｅｌｌｃｏｒｅ−２５３−ｃｏｒｅの定義を表３に示す。
【０００６】
【表２】
0003542267.tif 000003
【０００７】
【表３】
0003542267.tif 000004
【０００８】
表３の表において、Ｑｕａｌｉｔｙ  Ｌｅｖｅｌ欄は品質のレベルを表し、品質の高い順に１から７までの段階が定義されている。Ｓｔｒａｔｕｍ  １  Ｔｒａｃｅａｂｌｅがもっとも品質が高く、優先的に選択される。反対にＤＯＮ'ＴＵＳＥ ｆｏｒ  ｓｙｎｃｈｒｏｎｉｚａｔｉｏｎはもっとも優先順位が低く、このＳＳＭを受信した場合、このクロックは使用を禁止される。また、Ｓｙｎｃｈｒｏｎｉｚｅｄ  Ｔｒａｃｅａｂｉｌｉｔｙ  ＵｎｋｎｏｗｎはＳＳＭ機能をサポートしていない装置のためのコードであり、このコードが受信された場合、この受信信号から抽出したクロックは使用されない。
【０００９】
このＳＳＭの使用方法の一例を図２を用いて示す。図２は図１同期ディジタル伝送網の各ノードに相当する。図２で低速インターフェース（以下ＩＦと略す：Interface）盤３００−１、３００−２、…、３００−Ｎ、高速ＩＦ盤３００−Ｎ＋１は受信信号からクロックを抽出する機能と受信信号からＳＳＭを分離する機能を有する。各ＩＦ盤３００から出力されたＳＳＭ信号３０１は、その優先順位を判定する制御盤３１０へ送られる。また、各ＩＦ盤３００から出力されたクロック３０２は、クロック盤３２０に送られる。制御盤３１０で判定された優先順位にしたがってクロック盤３２０は前記Ｎ＋１本のクロックのうちから１本選択を選択する。選択されたクロックはＰＬ３２４に入力され、ＰＬＬ３２４にてクロックを逓倍され、システムクロック分配回路３２６により各ＩＦにクロックを分配する。各ＩＦはそのクロックを用いてデータを処理し伝送路３５０へ送信する。なお制御盤３１０は入力端末３０５と接続されており、入力端末３０５からの命令によっては、ＳＳＭの優先順位によらず強制的にクロックを切り替えることのできる機能を備えている。
【００１０】
図２に示した従来の装置構成の、ＩＦ盤３００の構成を図３にさらに詳しく示す。伝送路３５０から受信したデータはＳＰＩ（ＳＤＨ physical interface）処理部４２０中で、光入力断（以下ＬＯＳと略す：Loss of Signal）検出回路４２２によりＬＯＳ検出が行われる。もし、ＬＯＳが検出さた場合、ＳＰＩ処理部４２０のＡｌｌ”１”挿入回路４２４よりＡＩＳ（Alarm Indication Signal）転送としてＡｌｌ”１”が信号に挿入される。ＲＳＴ（Regenerator section termination function）処理部４３０内にはアウトオブフレーム・ロスオブフレーム（それぞれ以下ＯＯＦ、ＬＯＦと略す：Out of Frame, Loss of Frame）検出回路４３２があり、ＬＯＦが検出された場合、Ａｌｌ”１”挿入回路４３４よりＡＩＳ転送としてＡｌｌ”１”が信号に挿入される。ＭＳＴ（Multiplex section termination function）処理部４４０の中には、受信信号からＳＳＭを分離する回路４４２があり、分離されたＳＳＭ３０１はＩＦ盤３００より外部へ出力される。また、上記ＩＦ盤３００には受信した信号からクロックを抽出する回路４１０を備えており、抽出されたクロック３０２はＩＦ盤３００より外部へ出力される。
【００１１】
【発明が解決しようとする課題】
図２に示した従来の装置では、ＩＦ盤３００を挿入（電源投入）もしくは抜去（電源断）する際に、出力されるＳＳＭが電気的に論理が不定となる可能性がある。このため誤った値のＳＳＭが制御盤３１０に出力されてしまうので、制御盤３１０より制御されるクロック盤３２０が誤ったクロック切り替えを引き起こす可能性がある。
【００１２】
これを以下説明しよう。例えば低速ＩＦ盤３００−１からＳＳＭとして”０１１１”（表３ BellcoreのＳＳＭの定義でStratum ２ Traceable）が出力されており、このＳＳＭの優先順位が一番高く、上記ＩＦ盤からのクロックが選択されているとする。ここで別のＩＦ盤３００−２を挿入もしくは抜去した瞬間にこのＩＦ盤より出力されるＳＳＭ<２>が偶然”０００１”（表３ BellcoreのＳＳＭの定義でStratum １ Traceable）を送出してしまうとする。そうすると、”０００１”（Stratum １ Traceable）は”０１１１”（Stratum ２ Traceable）より優先順位が高いため、抜去したＩＦ盤３００−２が出力するクロックと切り替わってしまうことが考えられる。
【００１３】
また、伝送路から受信するデータ信号異常が生じ、ＳＳＭとして分離出力する値が誤った値であると、クロックの誤切り替えの要因となりうる。これを図３を用いて説明する。図３のＯＯＦ・ＬＯＦ検出回路４３２でＯＯＦを検出したとき、主信号はフレーム同期がとれていないため本来ＳＳＭを格納するＳ１バイトの位置が正確に検出できず、ＳＳＭ抽出回路４４２においてＳＳＭは誤った値を分離し出力してしまう。もし、ＳＳＭがすでに選択されているクロックよりも優先順位の高い値を偶然出力してしまうと、クロックの誤切り替えが発生する可能性がある。ＯＯＦが連続して検出されれば、ＬＯＦとなり、ＬＯＦが検出されるとＡｌｌ”１”挿入回路４３４にてＡｌｌ”１”信号（ＡＩＳ）が転送されるため、データは全て”１”となる。そこでＳＳＭも”１１１１”がＩＦ盤で分離出力され、これはＤＯＮ'Ｔ  ＵＳＥとしてこのＩＦ盤からはクロックが使用されないので、この場合はクロックの誤切り替えは発生しない。しかし、ＯＯＦが最大３ｍｓｅｃ間継続的に検出されないとＬＯＦが検出されないという規定がＩＴＵ−Ｔに定められており、ＬＯＦが検出されるまでの間、上記のようにクロックの誤切り替えがおこる恐れがある。またＬＯＦが検出された時点でもＡＩＳが転送されるまで最大２５０μs（２フレーム分）というＩＴＵ−Ｔの規定がありＡＩＳが転送されＳＳＭが”１１１１”のＤＯＮ'Ｔ  ＵＳＥとなるまで最大２フレーム分、誤ったＳＳＭが出力されてしまう恐れがある。
【００１４】
また、ＬＯＳが検出された場合には、受信データがなくなってしまうため、受信信号からクロック成分を抽出する事が出来ない。このため、ＳＳＭとしては”１１１１”のＤＯＮ'Ｔ  ＵＳＥと設定し、ＬＯＳを検出しているＩＦ盤からのクロックの使用を禁止する必要がある。
【００１５】
そこで本発明の目的は、上記のようにＳＳＭが誤った値をとることで伝送装置が誤ったクロックを選択することを防止することにある。
【００１６】
【課題を解決するための手段】
上記課題を解決するために本発明では、ＳＳＭが誤った値をとる恐れのある時すなわち電源投入および電源ＯＦＦ時、受信した信号からＬＯＳを検出した時、ＯＯＦもしくはＬＯＦを検出した時に、前記受信信号より抽出したＳＳＭを選択の判断基準からはずす。判断基準からはずすためには、受信した信号から抽出したＳＳＭを優先順位の低い値もしくはその他、クロックが使用されないような値に変換し、変換後の値をもとに該伝送装置のクロック源を選択する方法を採用する。
【００１７】
Ｓ１バイトを用いてＳＳＭを伝送し、最も優先順位の低い値は”１１１１”（ＤＯＮ'Ｔ  ＵＳＥ）である伝送装置では上記ＳＳＭを”１１１１”に変換し、変換後の値をもとにクロック源を選択すればよい。あるいは、上記ＳＳＭを”００００”（Traceability Unknown）に変換し、変換後の値をもとにクロック源を選択すればよい。
【００１８】
上記方法を実現するため、本発明の伝送装置では、伝送路から受信する信号よりクロックを抽出する回路と、前記受信信号よりＳＳＭを抽出する回路と、複数のクロック源から該装置のクロック源を選択するクロック選択回路と、前記抽出したＳＳＭの優先順位を判断して上記クロック選択回路を制御する制御回路と、電源投入および電源ＯＦＦしたときパワーオン信号を出力する回路、ＬＯＳを検出したときＬＯＳ検出信号を出力する回路、ＯＯＦもしくはＬＯＦを検出した時ＯＯＦ／ＬＯＦ検出信号を出力する回路を有し、前記パワーオンリセット信号、ＬＯＳ検出信号、ＯＯＦ／ＬＯＦ検出信号が出力された場合、ＳＳＭを優先順位の低い値もしくはその他、クロックが使用されないような値に変換して前記制御回路に送信する回路を有することを特徴とする。
【００１９】
上記伝送装置において、Ｓ１バイトを用いてＳＳＭを伝送し、最も優先順位の低い値は”１１１１”（ＤＯＮ'Ｔ  ＵＳＥ）である伝送装置では、上記ＳＳＭを優先順位の低い値に変換する回路として上記ＳＳＭを”１１１１”に変換する回路を有することで上記目的を達成できる。
【００２０】
また、上記伝送装置において、Ｓ１バイトを用いてＳＳＭを伝送し、Traceability Unknown が”００００”である伝送装置では、上記”１１１１”（ＤＯＮ'Ｔ  ＵＳＥ）の代わりに、”００００”に変換する回路を備えてもよい。
【００２１】
また、上記ＳＳＭを優先順位の低い値に変換して前記制御回路に送信したときに、前記クロック選択回路にたいしてクロックの送信を止める回路を有することを特徴とする。
【００２２】
またＩＦ盤の挿入および抜去時のクロックの誤切り替え防止の問題については以下の方法を用いることでも解決される。この方法はクロックの選択を端末からの命令により強制的に制御する機能を利用している。ＩＦ盤を挿入及び抜去する前に、図２に示す端末入力３０５からの制御により挿入および抜去するＩＦ盤からクロックを選択しないようにあらかじめ固定することによりクロックの誤切り替えを防ぐことができる。
【００２３】
【発明の実施の形態】
本発明について図面を用いて説明する。
図４は本発明の一実施例の伝送装置のＩＦ盤を示したものである。図４においてパワーオンリセット回路４８０はＩＦ盤３００を装置に挿入（電源投入）もしくは抜去（電源ＯＦＦ）に伴い、ＩＦ盤３００中の回路が電気的に不安定となる期間中パワーオン信号４８２を出力する回路である。また、ＬＯＳ検出回路４２２は伝送路３５０から受信する信号がＬＯＳの場合、これを検出しＬＯＳ検出信号４９４を出力する回路である。ＯＯＦ・ＬＯＦ検出回路４３２は伝送路３５０から受信してＳＰＩ処理部４２０を通過してくる信号のＯＯＦとＬＯＦの検出をおこない、ＯＯＦもしくはＬＯＦが検出された場合、ＯＯＦ／ＬＯＦ検出信号４９６を出力する回路である。これらの信号４９４,４９６,４８２はＳＳＭ変換回路４８５に出力される。ＳＳＭ分離回路４４２は伝送路３５０から受信され、ＳＰＩ処理部４２０、ＲＳＴ処理部４３０を通過してくる信号からＳＳＭを分離して出力する回路である。前記分離出力されたＳＳＭ信号４９２はＳＳＭ変換回路４８５に送信される。ＳＳＭ変換回路４８５は、通常ＳＳＭ分離回路４４２によって出力された分離ＳＳＭ信号４９２をそのままＳＳＭ信号３０１として出力している。しかし、パワーオン信号４８２、ＬＯＳ検出信号４２２、ＯＯＦ／ＬＯＦ検出信号４９６のいずれか１つでも入力された場合、このＳＳＭ変換回路４８５は分離ＳＳＭ信号４９２を最も優先順位の低いＳＳＭに変換してＳＳＭ信号３０１として出力する。この変換において、Ｓ１バイトを用いたＳＳＭ伝送で最も優先順位の低いＳＳＭが”１１１１”である場合はＳＳＭ変換回路４８５は”１１１１”に変換する。また、Ｓ１バイトを用いたＳＳＭ伝送でTraceability Unknownが”００００”である場合はＳＳＭ変換回路４８５は”００００”に変換してもよい。また、前記最も優先順位の低いＳＳＭに変換された場合及び、もともと分離ＳＳＭ信号４９２が最も優先順位の低い値であった場合、ＳＳＭ変換回路４８５はクロック出力制御回路に対してクロック停止信号４９８を送信する。クロック抽出回路４１０は、伝送路３５０から受信した信号からクロックを抽出し、これを伝送路抽出クロック４９０としてクロック出力制御回路４９５に出力する。前記クロック出力制御回路４９５はＳＳＭ変換回路４８５からクロック停止信号４９８が出力されていない場合には、伝送路抽出クロック４９０をそのままクロック３０２として出力し、前記クロック停止信号４９８が出力されている場合には、伝送路抽出クロック４９０をクロック３０２として出力することを停止する回路である。
【００２４】
このような回路構成をとすることで、ＩＦ盤３００を挿入もしくは抜去時、ＬＯＳ,ＯＯＦ／ＬＯＦ検出時、ＳＳＭとして誤った値が出力される可能性のある時に、ＳＳＭを優先順位の最も低い値もしくはTraceability Unknownコードに変換して出力することで、クロックの誤切り替えを防止することが出来る。
また、図５は、端末によりクロックを強制的に切り替える機能を利用したクロック誤切り替え防止方法の一実施例を示したフロー図である。
【００２５】
図２と図５を基に動作を説明する。まずＩＦ盤を挿抜するに前に、クロックを強制的に選択する機能を利用して、端末３０５から挿抜するＩＦ盤を指定しこのＩＦ盤からクロックを選択しないように設定する命令を入力する（ステップ６００）。この命令を受け制御盤ではクロックを該ＩＦ盤から選択するのを禁止する（ステップ６１０）。このような動作が完了した後（ステップ６２０）、該ＩＦ盤を挿入あるいは抜去（ステップ６３０）すれば該ＩＦ盤からクロックを選択することなくクロックの誤動作の原因を取り除くことができる。該ＩＦ盤を挿入してパワーオン状態が解除され通常の運用状態になると再びこのＩＦ盤からもクロックを選択できるように、入力端末から上記ＩＦ盤が挿入完了した旨の命令を入力する。
【００２６】
【発明の効果】
以上説明したように本発明は、伝送路より抽出したクロックに同期して動作することが可能で、ＳＳＭ処理をもつ伝送装置に関して、ＬＯＳ,ＯＯＦ,ＬＯＦ検出時あるいは電源投入及び電源ＯＦＦ時にＳＳＭを優先順位の最も低い値もしくはTraceability Unknownコードに変換して出力し、変換後の値をもとに伝送装置のクロック源を選択する。このことにより、ＬＯＳ,ＯＯＦ,ＬＯＦ検出時あるいは電源投入及び電源ＯＦＦによる誤ったＳＳＭの出力によるクロックの誤切り替えを防止できる。
【００２７】
また、上記優先順位の最も低いＳＳＭを出力する時に、伝送路抽出クロックの出力を止める回路を有することでより確実にクロックの誤切り替えを防止できる。
また、ＩＦ盤を挿抜したときにＳＳＭによる誤切り替えを防止するためには端末よりクロックの切り替えを強制的に行う機能を利用した方法によっても可能である。ＩＦ盤を挿入あるいは抜去する前に、入力端末よりクロックをそのＩＦから選ばないような設定をあらかじめ行っておくことでＳＳＭによる誤切り替えを防止できる。
【図面の簡単な説明】
【図１】同期ディジタル網を説明するブロック図である。
【図２】従来の伝送装置構成を示すブロック図である。
【図３】従来の伝送装置のＩＦ盤の構成を示すブロック図である。
【図４】本発明の伝送装置のＩＦ盤の構成を示すブロック図である。
【図５】本発明のクロック誤切り替え防止方法を示すフロー図である。
【符号の説明】
１００…ＢＩＴＳ、１０５…ＢＩＴＳより出力される基準クロック、１１０…同期ディジタル伝送網における伝送装置のノード、１１５…同期ディジタル伝送網における伝送装置のノード、１２０…同期ディジタル伝送網における伝送装置のノード、１２５…同期ディジタル伝送網における伝送装置のノード、１３０…同期ディジタル伝送網における伝送装置のノード、１３５…同期ディジタル伝送網における伝送装置のノード、２００…Ｓ１バイト、２０５…品質のレベルを表わす欄、２１０…Stratum １ Traceable（優先順位の最も高いＳＳＭ）、２１２…Synchronized−Traceability Unknown、２１５…ＤＯＮ'Ｔ  ＵＳＥ for Synchronization（優先順位の最も低いＳＳＭ）、３００…ＩＦ盤、３０１…ＳＳＭ信号、３０２…クロック、３０５…入力端末、３１０…制御盤、３２０…クロック盤、３２２…クロックセレクタ、３２４…ＰＬＬ（Phase Locked Loop）、３２６…クロック分配回路、３３０…ＭＵＸ（多重）盤、３５０…伝送路、４１０…クロック抽出回路、４２０…ＳＰＩ処理部、４２２…ＬＯＳ検出回路、４２４…（ＬＯＳ検出時）Ａｌｌ”１”挿入回路、４３０…ＲＳＴ処理部、４３２…ＯＯＦ・ＬＯＦ検出回路、４３４…（ＬＯＦ検出時）Ａｌｌ”１”挿入回路、４４０…ＭＳＴ処理部、４４２…ＳＳＭ分離回路、４６０…ＭＳＡ処理部、４７０…ＨＣＳ処理部、４８０…パワーオンリセット回路、４８２…パワーオン信号、４８５…ＳＳＭ変換回路、４９０…伝送路抽出クロック、４９２…分離ＳＳＭ信号、４９４…ＬＯＳ検出信号、４９５…クロック出力制御回路、４９６…ＯＯＦ／ＬＯＦ検出信号、４９８…クロック停止信号。
【図１】
0003542267.tif 000005
【図２】
0003542267.tif 000006
【図３】
0003542267.tif 000007
【図４】
0003542267.tif 000008
【図５】
0003542267.tif 000009